(57)【要約】  本開示は、エアフィルタに関する。より具体的には、窓の開口部に使用可能な、大きさが調整可能であるエアフィルタシステムに関する。いくつかの実施形態は、ロール状に構成された濾材アセンブリに関する。いくつかの実施形態では、濾材アセンブリは、先頭端部及び前記先頭端部の反対側にある後端と、先頭端部と後端部との間に延びる、対向する第１側端部及び第２側端部とを有する濾材を備える。【選択図】図１
2017529232.tif 000002
【特許請求の範囲】
【請求項１】
ロール状に構成された濾材アセンブリであって、先頭端部及び前記先頭端部の反対側にある後端部と、前記先頭端部と前記後端部との間に延びる、対向する第１側縁部及び第２側縁部とを有する濾材を含む濾材アセンブリを備えている、エアフィルタ。
【請求項２】
前記濾材アセンブリを収容するハウジングを更に備えている、請求項１に記載のエアフィルタ。
【請求項３】
前記先頭端部が、前記ハウジングの外側又は内側のうちの少なくとも一方に着脱可能に保持され得る、請求項２に記載のエアフィルタ。
【請求項４】
前記濾材アセンブリは、ハウジングの内部で交換可能である、請求項２又は３に記載のエアフィルタ。
【請求項５】
前記先頭端部及び前記後端部のうちの少なくとも一方は、ループ構造、フック構造、及び／又は締結具を含んでいる、請求項１〜４のいずれか一項に記載のエアフィルタ。
【請求項６】
前記第１端部は、ハンドルを含んでいる、請求項１〜５のいずれか一項に記載のエアフィルタ。
【請求項７】
前記濾材アセンブリは、前記ロール状で格納式である、請求項１〜６のいずれか一項に記載のエアフィルタ。
【請求項８】
前記ロールは、ばね張力下の中央部材を含む、請求項１〜７のいずれか一項に記載のエアフィルタ。
【請求項９】
前記中央部材は、停止点をもたらす、請求項８に記載のエアフィルタ。
【請求項１０】
前記濾材アセンブリは、多用途利用に十分な濾材を含む、請求項１〜９のいずれか一項に記載のエアフィルタ。
【請求項１１】
前記濾材アセンブリは、分離線及び／若しくは目打ち線又は分離点及び／若しくは目打ち点を含む、請求項１〜１０のいずれか一項に記載のエアフィルタ。
【請求項１２】
ヒンジ式取付機構を更に含んでいる、請求項１〜１１のいずれか一項に記載のエアフィルタ。
【請求項１３】
前記ヒンジ式取付機構は、前記ハウジングと組み合わされている、又は前記中央部材に取り付けられている、請求項１２に記載のエアフィルタ。
【請求項１４】
前記ヒンジ式取付機構は、回転式である、請求項１３に記載のエアフィルタ。
【請求項１５】
前記濾材は、耐湿性、撥水性、静電気帯電性、エレクトレット不織布ウェブ、及び／又は非静電気帯電性のうちの少なくとも１つである、請求項１〜１４のいずれか一項に記載のエアフィルタ。
【請求項１６】
前記濾材は、炭素、活性炭、不織布、熱可塑性樹脂、熱硬化性材料、多孔性発泡体、ガラス繊維、紙、高嵩高スパンボンドウェブ、低嵩高スパンボンドウェブ、メルトブローンウェブ、及び／又は二峰性繊維径メルトブローン媒体のうちの少なくとも１つを含んでいる、請求項１〜１５のいずれか一項に記載のエアフィルタ。
【請求項１７】
前記濾材は、プリーツ状である、請求項１〜１６のいずれか一項に記載のエアフィルタ。
【請求項１８】
前記濾材は、自己支持型及び非自己支持型のうちの少なくとも一方である、請求項１〜１７のいずれか一項に記載のエアフィルタ。
【請求項１９】
前記濾材を所望の大きさに切断することができる切断デバイスを更に含んでいる、請求項１〜１８のいずれか一項に記載のエアフィルタ。
【請求項２０】
前記切断デバイスは、前記ハウジングと一体化している、請求項１９に記載のエアフィルタ。
【請求項２１】
前記エアフィルタは、窓用エアフィルタである、請求項１〜２０のいずれか一項に記載のエアフィルタ。
【請求項２２】
請求項１〜２１のいずれか一項に記載のエアフィルタと、
前記濾材を所望の大きさに切断することができる切断デバイスとを備えているキット。
【請求項２３】
前記切断デバイスは、前記ハウジングと一体化している、請求項２２に記載のキット。
【請求項２４】
請求項１〜２１のいずれか一項に記載のエアフィルタと、
前記エアフィルタを窓に永久的又は半永久的に取り付けることが可能な取付デバイスとを備えているキット。
【請求項２５】
前記取付デバイスは、つめ、ネジ、フック、接着剤、及び／又は接着剤付きインターロック片のうちの少なくとも１つである、請求項２１に記載のキット。
【発明の詳細な説明】
【技術分野】
【０００１】
本開示は、エアフィルタに関する。より具体的には、窓の開口部に使用可能な、大きさを調整可能であるエアフィルタシステムに関する。
【背景技術】
【０００２】
窓には多種多様な大きさのものがあり、建築構造物の屋外と屋内との間で空気の流れをもたらす垂直又は水平に動作可能なサッシを含み得る。建築構造物の入居者はよく、家、事業所、又はその他の取り囲まれた屋内に新鮮な空気を入れるために窓を開けたいと望む。しかしながら、多くの場所、例えば中国の人口の多い地域などでは、外気の方が室内気よりも汚染されている。外気の新鮮な性質を、汚染物質又は汚染物を侵入させることなく取り込む新規のフィルタリングの解決策が求められている。外気の汚染物には、花粉、塵、及びカビ胞子などの大きな粒子、並びにＰＭ２．５、細菌、及びウイルスなどを形成するようなより小さな粒子が含まれ得る。臭気、ＮＯｘ、ＳＯ２、オゾンなどの外気汚染物質及びその他のものもまた、場所によっては懸念材料となり得る。
【発明の概要】
【０００３】
本開示の発明者らは、上記の観点から、ユーザを空気質汚染物から守り、窓を介して家の中に新鮮な空気が入るようにし、消費者が容易に設置して使用でき、ほとんどの場所に合うように可変性であり、及び／又は照明や可視性に最小限の影響を与えるエアフィルタの需要があることを認識した。いくつかの実施形態では、フィルタは窓用エアフィルタである。
【０００４】
本開示の発明者らは、エアフィルタ、エアフィルタの製造方法、及びエアフィルタの使用方法の様々な実施形態を発明した。
【０００５】
いくつかの実施形態はロール状に構成される濾材アセンブリを備えるエアフィルタに関し、濾材アセンブリは、先頭端部及び前記先頭端部の反対側にある後端部と、並びに先頭端部と後端部との間を延びている、対向する第１側縁部及び第２の側縁部とを有する濾材を備える。
【０００６】
いくつかの実施形態では、エアフィルタは濾材アセンブリを収容するハウジングを更に備える。いくつかの実施形態では、先頭端部はハウジングの外側又は内側の少なくとも１つに着脱可能に保持することができる。いくつかの実施形態では、濾材アセンブリは
ハウジング内で交換可能である。いくつかの実施形態では、先頭端部及び後端部のうちの少なくとも１つはループ構造、フック構造、及び／又は締結具を含む。いくつかの実施形態では、第１の端部はハンドルを含む。いくつかの実施形態では、濾材アセンブリは、ロールに格納可能である。いくつかの実施形態では、ロールはばね張力下にある中央部材を含む。いくつかの実施形態では、中央部材は停止地点をもたらす。いくつかの実施形態では、濾材アセンブリは多用途に利用するのに十分な濾材を含む。いくつかの実施形態では、濾材アセンブリは分離及び／又は目打ち線若しくは点を含む。
【０００７】
いくつかの実施形態では、ヒンジ式取付機構を更に備える。いくつかの実施形態では、ヒンジ式取付機構はハウジングと組み合わされるか、中央部材に取り付けられる。いくつかの実施形態では、ヒンジ式取付機構は回転可能である。
【０００８】
いくつかの実施形態では、濾材は、耐湿性、撥水性、帯電性、エレクトレット不織布ウェブ、及び／又は非帯電性のうちの少なくとも１つである。いくつかの実施形態では、濾材は、炭素、活性炭、不織布、熱可塑性樹脂、熱硬化性材料、多孔性発泡体、ガラス繊維、紙、高嵩高スパンボンドウェブ、低嵩高スパンボンドウェブ、メルトブローンウェブ、及び／又は二峰性繊維径メルトブローン媒体のうちの少なくとも１つを含む。いくつかの実施形態では、濾材はプリーツ状である。いくつかの実施形態では、濾材は自己支持型と非自己支持型のうちの少なくとも１つである。
【０００９】
いくつかの実施形態では、濾材を所望の大きさに切断することができる切断デバイスを更に備える。いくつかの実施形態では、切断デバイスはハウジングに一体化される。
【００１０】
いくつかの実施形態では、エアフィルタは窓用エアフィルタである。
【００１１】
いくつかの実施形態は、上記又は本明細書中に記載のエアフィルタと、濾材を所望の大きさに切断することができる切断デバイスとを備えるキットに関する。いくつかの実施形態では、切断デバイスはハウジングに一体化される。
【００１２】
いくつかの実施形態は、上記又は本明細書中に記載のフィルタとエアフィルタを窓に永久的又は半永久的に取り付けることができる取付デバイスとを備えるキットに関する。いくつかの実施形態では、取付デバイスは、つめ、ネジ、フック、接着剤、及び／又は接着剤付連結片のうちの少なくとも１つである。
【図面の簡単な説明】
【００１３】
【図１】本開示の原理による例示的な格納式エアフィルタの斜視図である。
【図２Ａ】本開示の原理による、格納状態にある例示的な格納式エアフィルタの斜視図である。
【図２Ｂ】本開示の原理による、非格納状態にある例示的な格納式エアフィルタの斜視図である。
【図３】本開示の原理による例示的な格納式エアフィルタの斜視図である。
【図４Ａ】本開示の原理による、例えば垂直に開く窓に用いられる、例示的な格納式エアフィルタの斜視図である。
【図４Ｂ】本開示の原理による、例えば垂直に開く窓に用いられる、例示的な格納式エアフィルタの斜視図である。
【図４Ｃ】本開示の原理による、例えば垂直に開く窓に用いられる、例示的な格納式エアフィルタの斜視図である。
【図５】本開示の原理による、例えば水平に開く窓に設置された、例示的な格納式エアフィルタの側面図である。
【発明を実施するための形態】
【００１４】
様々な実施形態及び履行について詳細に説明する。これらの実施形態は、いかなる場合も本特許出願の範囲を限定するものとして解釈されるべきではなく、本実施形態及び実装の趣旨及び範囲から逸脱せずに、変更及び修正を行うことができる。例えば、実施形態、実施、及び実施例の多くは窓用エアフィルタを具体的に参照して説明されているが、これは本特許出願の範囲をこの１つの代表的な実施に限定するものと解釈されるべきではない。更に、いくつかの最終用途のみを本明細書で説明しているが、本明細書に記述されていない最終用途も本特許出願の範囲内に含まれる。したがって、本特許出願の範囲は、その請求項によって決定されるべきではない。
【００１５】
本開示の原理による、窓に使用可能な格納式フィルタ２０の一実施形態が図１に示されている。格納式フィルタ２０は、濾材３２を有する濾材アセンブリ３０を備える。いくつかの実施形態では、濾材アセンブリ３０は、ロール３３の形態を取り得る。いくつかの実施形態では、濾材３２は中央部材３４上に巻かれ、容易に拡張及び格納され得る（即ち、広げたり巻かれたりする）。多様な構成要素の詳細を以下に示す。
【００１６】
一般的に、濾材アセンブリ３０の格納式な性質に起因して、その長さが調節可能であることで、濾材アセンブリ３０は広範囲な窓の大きさに適合可能となる。格納式フィルタ２０は部分的に開いている窓に取り付けることができる。格納式フィルタ２０は広範囲な窓の大きさに適合することができる。格納式フィルタ２０は、窓領域の１０〜３０％のみが遮断されている、例えば、窓領域の大きな割合が光の透過と可視性のために開かれたままになっている、部分的に開いている窓に採用可能である。
【００１７】
いくつかの実施形態では、濾材アセンブリ３０のロールは、第１の端部又は先頭端部３６と、第１の端部３６の反対側にあり中央部材３４に隣接する第２の端部又は後端部（図示せず）とを有する。第１側縁部３８及び第２側縁部４０は、第１端部３６と第２端部との間を延びる。いくつかの実施形態では、濾材アセンブリ３０は広げられたときに概ね矩形である。いくつかの実施形態では、第１端部３６は、より改善した使用性のためにハンドル４２を備え得る。いくつかの実施形態では、第１側縁部３８及び第２側縁部４０のうちの一方又は両方は、ループ構造（概ね破線４４によって示される）、又は他の締結具を備えることができ、以下により詳細に記載する。
【００１８】
図２Ａ〜図２Ｂに示すように、いくつかの実施形態では、中央部材３４はハウジング５０内に収容されてもよい。ハウジング５０はロール３３を収容するため、及び／又は濾材アセンブリ３０の拡張及び格納を提供するための、任意の好適な形状であり得る。いくつかの例示的な形状として、矩形又は管状が挙げられる。いくつかの実施形態では、ハウジング５０は少なくとも１つの側面５２と、任意選択的に、上端部及び下端部５４，５６とを備える。いくつかの実施形態では、濾材アセンブリ３０の先頭端部３６は、ユーザが容易に手に取ることができ、及び／又はハウジング５０の外側若しくは内側に着脱可能に保持することができる。いくつかの実施形態では、濾材アセンブリ３０はハウジング５０内で交換可能である。いくつかの実施形態では、濾材アセンブリ３０は、ハウジング５０を交換することなく、及び／又は構成部品を据え付けることなく、ユーザによって交換可能である（例えば、図３を参照）。いくつかの実施形態では、濾材アセンブリ３０はまた、内部の巻き取り（例えば、ばね）構成部品の交換を必要とすることなく、交換可能であってもよい。例えば、濾材アセンブリ３０のレフィルは、巻き取り構成部品を含む中央部材３４に摺動可能に係合してもよい。ハウジング５０は、例えば、濾材３２と窓枠との間の改善された密閉性、改善された美的デザイン、及び／又は格納式フィルタ２０の窓構造への改善された取り付け場所及び表面積など、いくつかの利点をもたらすことができる。いくつかの実施形態では、ハウジング５０は、ユーザが計測して別個のブラケットを設置することを要求する代わりに、媒体中央ロール３４の２つの端部を取り付け部材間の距離で確実に画定し固定させることで、組立を助けるという更なる利点をもたらす。
【００１９】
いくつかの実施形態では、図２Ｂの矢印「Ａ」で示されるように、濾材アセンブリ３０はロール３３上に格納可能であり、ロール３３から巻き戻される、すなわち拡張される。いくつかの実施形態では、中央部材３４は、濾材アセンブリ３０に格納性をもたらす、ばねが巻かれた内部軸又は同様の構造であり得る。いくつかの実施形態では、ユーザが格納式フィルタ２０を窓で使用することを所望するときに、先頭端部３６のハンドル４２を引くことで濾材アセンブリ３０が展開される。いくつかの実施形態では、濾材アセンブリ３０は、ユーザが引っぱり続けるとき、ばね張力下で、中央軸部材３４から巻き戻される。一実施形態では、中央部材３４及びばね機構（図示せず）は、ばね機構が再係合されるまでは、巻き戻された濾材アセンブリ３０の長さが一時的に固定される停止地点をもたらすことができる。例えば窓を閉めるために、ユーザが濾材アセンブリ３０をハウジング５０内に戻したいとき又は別の方法で濾材アセンブリ３０を格納したいときに、ユーザはばね機構を再係合させて、それによって濾材アセンブリ３０はハウジング５０内に再度巻かれる。
【００２０】
いくつかの実施形態では、濾材アセンブリ３０は、広範囲な窓寸法に適合する好適な大きさの濾材３２を含む。いくつかの実施形態では、濾材アセンブリ３０は一回の使用に必要とされる長さよりも長くてもよい。いくつかの実施形態では、濾材アセンブリ３０は濾材３２の１つ以上の交換に対応するために好適な長さを有する。例えば、汚れた濾材３２を廃棄し、濾材３２の綺麗な部分が濾材アセンブリ３０の次の部分から巻き戻される。いくつかの実施形態では、濾材アセンブリ３０は濾材３２の新しい綺麗な長さを露出するために切断することができ、単一の濾材アセンブリ３０から複数のフィルタ交換を可能とする。具体的に図２Ｂを参照すると、いくつかの実施形態では、濾材アセンブリ３０は、濾材アセンブリ３０を別個のフィルタ長さに分離するための複数の分離線６０を含む。いくつかの実施形態では、各分離線６０は、分離をもたらすための好適な任意の数の切り目で形成可能である。一実施形態では、分離線６０は、一般的な窓の幅に対応する、濾材アセンブリ３０に沿った位置に形成される目打ち線である。分離線６０は互いに異なる（例えば、増加又は減少する）距離、若しくは均一の距離にあってもよい。これに加えて、又はあるいは、切断デバイス（図示せず）がハウジング５０内に一体化されていてもよい。任意の切断デバイスを使用することができる。いくつかの実施形態では、切断デバイスは、例えば、鋸歯状縁部を有する細い金属片であり得る。
【００２１】
いくつかの実施形態では、濾材アセンブリ３０はループ構造４４を、例えば一体的に又は付加的に、例えば積層することで、第１側縁部３８及び第２側縁部４０のうちの一方又は両方に組み入れてもよい。ループ構造４４は、窓枠及び／又はサッシ部材に適用されるフック構造（例えば図４Ａを参照）と嵌め合わせてもよい。いくつかの実施形態では、組み合わされたフック／ループ構造は濾材アセンブリ３０を適所に保持し、空気が濾材アセンブリ３０を迂回しないように側縁部３８、４０を十分に密封する。いくつかの実施形態では、おむつに使用されるような薄型のフックを、好ましくは接着性の背面コーティングともに用いてもよい。いくつかの実施形態では、取り付け向きにおいてフックアンドループは逆になってもよい。いくつかの実施形態では、例えば、フックアンドループの取り付けのための良好な嵌合用縁部が利用できない、くぼんだ窓に格納式フィルタ２０を取り付ける場合、格納式フィルタ２０は、係合の容易化を補助するために窓枠及び／又はサッシに取り付けることができる二次片又は構造を含んでもよい。いくつかの実施形態では、濾材３２は更に若しくはあるいは、濾材３２が複数の面のフック構造に取り付けられることが可能になるコンフォームであってもよい。
【００２２】
図３は、ハウジング５０と組み合わせられることができ、又はロール３３の中央部材３４及び窓に直接取り付けられ得るヒンジ式取付機構６２を含む、例示的な格納式フィルタ２０を示す。一実施形態では、ヒンジ６２、又は同様の機構は、濾材アセンブリ３０が使用されていないときには濾材アセンブリ３０を窓から離れるように枢動し、使用するときには、窓に向かって方向を変えるように回転可能である。この動作はユーザインタフェースをより簡単にされ、窓のくぼみに濾材アセンブリ３０をより密封させる助けとなり得る。いくつかの実施形態では、ハウジング５０を１つ以上の回転された位置に保持するのを補助するロック機構（図示せず）を含んでもよい。
【００２３】
濾材アセンブリ３０のために選択された特定の濾材３２は、本明細書中に記載される特定の所望の特性を有するように特に適合されてもよい。いくつかの実施形態では、濾材アセンブリ３０は耐湿性材料から構成される。いくつかの実施形態では、濾材は雨などの水分を特に遮断するかはじく、追加の層又は特徴部を備えてもよい。いくつかの実施形態では、濾材３２の材料内又は材料上に静電荷が任意選択的に付与される。いくつかの実施形態では、多くのグレードが入手可能であり、多くが低圧力降下での高効率性を提供する、静電気帯電した媒体３２を用いてもよい。いくつかの実施形態では、濾材３２はエレクトレット不織布ウェブであり得る。電荷は、例えば、ハイドロチャージ、コロナ帯電など、従来周知の多種多様な方法で濾材３２に付与することができる（例えば、本明細書中に参照によって援用される、米国特許第７，９４７，１４２号に記載されるように）。
【００２４】
他の実施形態では、濾材３２は静電気帯電していない。いくつかの実施形態では、活性炭又は気相汚染物質を精製する他の材料を組み入れる追加の多機能媒体グレードを、更に若しくは代替的に、フィルタ構造に組み入れてもよい。いくつかの実施形態では、濾材３２は、例えば、ポリプロピレン、直鎖状ポリエチレン、及びポリ塩化ビニルなどの熱可塑性樹脂又は熱硬化性材料から形成される不織布繊維媒体から構成することができる。他の濾材に好適な非限定的な材料としては、多孔性発泡体、不織布、紙、ガラス繊維などが挙げられる。いくつかの実施形態では、濾材３２は、塵、アレルゲン（花粉及びカビ胞子など）、並びに／又は外気からの粒子汚染物質を引き付け、捕集する濾材を備える。
【００２５】
濾材３２に有用な他の不織布ウェブは、例えば、その全体が参照により本明細書に援用される、Ｆｏｘらの米国特許第８，１６２，１５３号に記載されるような高嵩高スパンボンドウェブであってもよい。他の実施形態では、濾材３２は、例えば、その全体が参照により本明細書に援用される、Ｆｏｘらの米国特許第７，９４７，１４２号に記載されるような低嵩高のスパンボンドウェブであってもよい。更なる他の実施形態では、濾材３２に有用な不織布ウェブは、その全体が本明細書に参照によって援用されるＳｈａｈらの米国特許第６，８５８，２９７号に開示されるメルトブローン不織布ウェブのように、他の方法によって作製され、かつ／又は他の特性を有する。有用な不織布ウェブの構成の他の非限定的な例としては、その全体が参照により本明細書に援用される、米国特許第７，８５８，１６３号に記載されるものなどの、二峰性の繊維径メルトブローン媒体が挙げられる。
【００２６】
いくつかの実施形態では、濾材３２は静電気で帯電された不織布型の媒体である。いくつかの実施形態では、濾材３２は、概ね平行であり、反対の向きの折り目の列を備える構造を形成するように折られた少なくとも一部分を含むプリーツ状の濾材であってもよい。いくつかの実施形態では、従来周知の様々な方法や構成部品を用いて、例えば、それらの全教示が本明細書に参照によって援用される、Ｋｕｂｏｋａｗａらの米国特許第６，７４０，１３７号及びＳｕｎｄｅｔらの米国特許第７，６２２，０６３号に記載された空気濾過などの用途で用いるためのプリーツ状フィルタを形成するために、プリーツを濾材３２内（又はプリーツ状の濾材アセンブリ３０内）に形成することができる。
【００２７】
いくつかの実施形態では、得られる濾材アセンブリ３０が濾材アセンブリ３０の構造統合性を著しく損傷することなく少なくともロール状から広げられた状態に遷移可能である限り、濾材３２は濾材又はウェブ単体からなってもよく、若しくは、濾材３２に適用される又は組み立てられる１つ以上の追加構成要素又は構造を濾材３２に含んでもよい。いくつかの実施形態では、濾材はロール状と広げられた状態との間を、濾材アセンブリ３０の構造統合性を著しく損傷することなく繰り返し遷移可能である。アセンブリ３０の濾材３２は、自己支持型であっても非自己支持型であってもよい。例えば、濾材アセンブリ３０が濾材３２単体からなるときに、濾材若しくはウェブは、自己支持型であってもよく、又は非自己支持型であってもよい。いくつかの実施形態では、濾材アセンブリ３０が濾材又はウェブ３２と支持構造とからなる場合、濾材３２は、全体としては自己支持型である濾材アセンブリ３０となる、追加の支持構造を有する非自己支持型であってもよい。例えば、濾材３２はワイヤで裏打ちされてもよい。本明細書中に用いるとき、用語「自己支持型濾材又はウェブ」は、以下の状態の少なくとも１つを表すことができる：（１）濾材又はウェブが濾材ウェブに補強層、接着剤、又は他の強化を必要としない変形耐性を有する、あるいは（２）濾材は、例えば、その全教示が本明細書に参照によって援用される、Ｋｕｂｏｋａｗａの米国特許第７，１６９，２０２号に記載するような気流を受けたときに概ね形状を維持する、あるいは（３）ウェブ又は媒体が実質的に破けたり破損したりすることなく、覆いやすく、かつ取り扱いやすい、充分な粘調度及び強度を有する。本明細書中に用いるときに、用語「非自己支持」は、支持フレーム及び／又は支持グリル無しでは、典型的な気流によって受ける力に耐えることができない空気濾材を表し得る。
【００２８】
いくつかの実施形態では、格納式フィルタ２０は外気質汚染物からユーザを守る上で有用である。上述のように、静電気帯電された媒体３２を用いてもよい。活性炭又は気相汚染物質を精製する他の材料を組み入れた追加の多機能媒体グレードもまた、濾材アセンブリ３０に組み入れられてもよい。表面積拡大化を組み入れることと、窓を適度に覆うことと、静電気帯電によって低圧力降下が可能になったウェブを使用することとを組み合わせることにより、フィルタについてある程度の低圧力降下を得ることができ、気流がフィルタを穏やかに通るように補助し得る。
【００２９】
図４Ａ〜図４Ｃは、格納式フィルタ２０に類似する、シングルハングでもダブルハングでもよいスライド型窓１８０に設置された、例示的な格納式フィルタ１２０の材料及び構成の態様を示す。北米及び中国では、スライド窓が支配的である。ハウジング１５０あり又は無しの格納式フィルタ１２０の窓１８０への取り付けは、永久的であっても半永久的であってもよい。いくつかの実施形態では、濾材アセンブリ１３０が延伸して格納されるとき、内部ばね力から緩やかな応力を取付地点が受けることがあるために、取付機構１９０、１９２は格納式フィルタ１２０を窓１８０に確実に保持させる。いくつかの例示的な永久固定する選択肢としては、つめ、ネジ、及び特定の種類の接着剤が挙げられる。いくつかの実施形態では、取付部は、例えばＣｏｍｍａｎｄ（商標）片、接着剤付インターロックフック、希土類磁石などを用いるなどして、半永久的である。ハウジング１５０は窓の主要面の窓枠１８２（又はその周囲構造）に取り付けられてもよく、又は窓１８０の主要面と垂直の窓枠１８２（又はその周囲構造）に取り付けられてもよい。別の実施形態では、ハウジング１５０は窓枠１８２に全く設置されなくてもよく、窓サッシ１８４と窓枠１８２との間に挟持されてもよい。拡張時、濾材アセンブリ１３０の側縁部１３８、１４０は、機械的構成部品又は接着性構成部品により窓枠／敷居部材に取り付けられてもよい。
【００３０】
最後に、上記の図４Ａ〜図４Ｃの垂直スライド窓１８０と同様に、図５は水平スライド窓２８０に据え付けられた例示的な格納式フィルタ２２０を示す。いくつかの実施形態では、格納式フィルタ２２０のハウジング２５０は、窓２８０の１つの端部に取り付けられ、窓２８０は部分的に開いており、濾材アセンブリ２３０は窓の隙間を覆うように拡張されている。２つの窓区分間に小さな隙間が作られ、２つの窓区分の間を外から空気が流れ込み、濾材アセンブリ２３０を迂回して室内に進入し得ることに留意されたい。いくつかの実施形態では、この迂回は発泡体片、隙間塞ぎなど（図示せず）を用いることで回避してもよい。
【００３１】
本開示のエアフィルタは任意の所望する枠又はハウジングに載置可能である。いくつかの例示的な枠は、例えば、共にその全体が参照により本明細書に援用される、米国特許出願第６２／０４１４９６号及び同第６２／０４１４９９号に記載されている。本開示のエアフィルタアセンブリは、例えば、その全体が本明細書に援用される米国特許出願第６２／０４１５０１号に記載されるような、動力付き空気濾過システムに用いることができる。米国特許第６２／２０６，９２８号のエアフィルタアセンブリ又は媒体を、本開示のエアフィルタに用いることができる。
【００３２】
詳細な説明及び特許請求の範囲における、第１、第２、第３などの用語は、類似の要素の間の区別に使用されるものであり、必ずしも順序又は年代順の記述に使用されない。そのように使用される用語は、適切な環境下では互換的であること、及び本明細書に記載の本発明の実施形態は本明細書に記載以外の順序で操作可能であるということが理解されるべきである。
【００３３】
本明細書において言及される参考文献は全て、参照により全体が組み込まれる。
【００３４】
更に、詳細な説明及び特許請求の範囲における最上部、底部、上、下などの用語は説明の目的で使用されるものであり、必ずしも相対的な位置の記述に使用されない。そのように使用される用語は、適切な環境下では互換的であること、及び本明細書に記載の本発明の実施形態は本明細書に記載以外の配向で操作され得るということが理解されるべきである。
【００３５】
端点による数値範囲全体の記載は、その範囲内に含まれる全ての数を含むものとする（すなわち、１〜１０の範囲には、例えば、１、１．５、３．３３、及び１０が含まれる）。
【００３６】
上記の実施形態及び実施例の詳細には、本発明の基礎をなす原理から逸脱することなく多くの変更を加えることができる点は当業者に認識されるであろう。更に、本発明の様々な改良及び変更が本発明の趣旨及び範囲から逸脱せずに実施できることは、当業者には明らかであろう。したがって、本願の範囲は、以下の「特許請求の範囲」及びそれと等価なものによってのみ定められるべきである。
【図１】
2017529232.tif 000003
【図２Ａ】
2017529232.tif 000004
【図２Ｂ】
2017529232.tif 000005
【図３】
2017529232.tif 000006
【図４Ａ】
2017529232.tif 000007
【図４Ｂ】
2017529232.tif 000008
【図４Ｃ】
2017529232.tif 000009
【図５】
2017529232.tif 000010
【国際調査報告】
2017529232.tif 000011
2017529232.tif 000012